(57)【要約】【課題】新しいチューブ（５）を要求している補助装置が位置付けられた、繊維機械（１００）の作業ステーション（１１０１−１１５１−１１ｎｎ）に、コンベア（６）によってチューブが一方向に供給される繊維機械の補助装置（２，３，４）に空チューブを供給する方法を提供すること。【解決手段】走行しているコンベア上に少なくとも１つのチューブが存在している間に、他の補助装置によるチューブの供給の要求が同時にあると、他のチューブを、走行しているコンベア上に載置し、新しいチューブを要求している補助装置が位置付けられた機械の作業ステーションの少なくとも１つの相互位置を評価して、機械の作業時間の最適な使用に関して、走行しているコンベア上に存在するチューブの、新しいチューブを要求している個々の補助装置への割り当ての最適な順序について判断する。【選択図】図２
2018020908.tif 000002
【特許請求の範囲】
【請求項１】
新しいチューブ（５）を要求する補助装置（２，３，４）が位置付けられた、繊維機械（１００）の作業ステーション（１１０１−１１５１−１１ｎｎ）に、コンベア（６）によってチューブ（５）が一方向に供給される繊維機械、特に紡績機械（１００）の補助装置（２，３，４）に空チューブ（５）を供給する方法において、
走行している前記コンベア（６）上に少なくとも１つのチューブ（５）が存在している間に、他の補助装置によるチューブ（５）の供給の要求が同時にあると、他のチューブ（５）を前記走行しているコンベア（６）上に載置し、少なくとも、新しいチューブ（５）を要求している前記補助装置（２，３，４）が位置付けられた前記機械の作業ステーション（１１０１−１１ｎｎ）の相互位置を評価して、前記機械の作業時間の最適な使用に関して、前記走行しているコンベア（６）上に存在するチューブ（５）の、新しいチューブ（５）を要求している個々の前記補助装置（２，３，４）への割り当ての最適な順序について判断することを特徴とする方法。
【請求項２】
前記走行しているコンベア（６）上に存在する前記チューブ（５）の、新しいチューブ（５）を要求している前記補助装置（２，３，４）への割り当ての最適な順序について判断する前に、空チューブ（５）が必要となった実際の時点、及び前記コンベア（６）上の前記チューブ（５）の現在の位置を評価することを特徴とする、請求項１に記載の方法。
【請求項３】
空チューブ（５）が必要となった実際の時点を、各補助装置（２，３，４）の現在及び／又は将来の補助動作、並びに、その動作又はそれらの動作の予期される期間に基づいて評価することを特徴とする、請求項２に記載の方法。
【請求項４】
前記走行しているコンベア（６）上に存在する前記チューブ（５）の、新しいチューブ（５）を要求している個々の前記補助装置（２，３，４）への割り当ての最適な順序について判断する前に、各作業ステーション（１１ｎｎ）の割り当てのために前記チューブ（５）の色を評価することを特徴とする、請求項１に記載の方法。
【請求項５】
前記チューブ（５）が前記コンベア（６）上に載置された後、新しいチューブ（５）を要求している前記補助装置（２，３，４）が前記チューブ（５）を取り出すのに失敗した場合、他の前記補助装置が、中断することなく、それを対象とした前記チューブを取り出し、前記チューブ（５）を取り出すのに不具合のあった前記補助装置（２，３，４）を対象とする前記チューブ（５）を、前記繊維機械の端部の回収容器に運ぶことを特徴とする、請求項１〜４のいずれか一項に記載の方法。
【請求項６】
前記チューブ（５）が前記コンベア（６）上に載置された後、新しいチューブ（５）を要求している前記補助装置（２，３，４）が前記チューブ（５）を取り出すのに失敗した場合、他の前記補助装置が、中断することなく、それを対象とした前記チューブを取り出し、前記チューブ（５）を取り出すのに不具合のあった前記補助装置（２，３，４）を対象とする前記チューブ（５）を、前記コンベア（６）上の初期位置まで運び、そこで他の補助装置（２，３，４）に要求されるのを待たせることを特徴とする、請求項１〜４のいずれか一項に記載の方法。
【請求項７】
作業ステーション（１１０１−１１ｎｎ）の各列に、空チューブ（５）の容器（１０２）及び空チューブ（５，５１，５２，５３）の一方向コンベア（６）が設けられ、個々の前記作業ステーション（１１ｎｎ）と、前記チューブ（５）の容器（１０２）と、各側の前記チューブの前記コンベア（６）と、補助装置（２，３，４）とに接続された制御ユニット（８）が備えられた繊維機械、特に紡績機械（１００）の少なくとも１列の前記作業ステーション（１１０１−１１ｎｎ）に沿って変位可能に配置された少なくとも２つの前記補助装置（２，３，４）に空チューブ（５）を供給する装置において、
前記制御ユニット（８）に、少なくとも、新しいチューブ（５）を要求している前記補助装置（２，３，４）が位置付けられた機械の前記作業ステーション（１１ｎｎ）の位置の相互比較に基づき、前記コンベア（６）上に存在する前記チューブ（５）の、新しいチューブ（５）を要求している個々の前記補助装置（２，３，４）への割り当ての最適な順序を判断するための判定アルゴリズムが設けられていることを特徴とする装置。
【請求項８】
前記判定アルゴリズムに、空チューブ（５）が必要となった実際の時点及び前記コンベア（６）上の前記チューブ（５）の位置を評価するためのデータセットも与えられることを特徴とする、請求項７に記載の装置。
【請求項９】
空チューブ（５）が必要となった実際の時点を評価するためのデータセットが、補助動作の種類及びその期間に関する情報を含むことを特徴とする、請求項８に記載の装置。
【請求項１０】
前記判定アルゴリズムに、前記チューブの色、及びある作業ステーション（１１ｎｎ）へのその割り当てを評価するためのデータセットが更に与えられることを特徴とする、請求項７に記載の装置。
【発明の詳細な説明】
【技術分野】
【０００１】
本発明は、新しいチューブを要求する補助装置（ａｔｔｅｎｄｉｎｇ  ｄｅｖｉｃｅｓ）が位置付けられた繊維機械の作業ステーションに、コンベアによって空チューブが一方向に供給される繊維機械、特に紡績機械の補助装置に空チューブを供給する方法に関する。
【０００２】
また、本発明は、作業ステーションの各列に、空チューブの容器及び空チューブの一方向コンベアが設けられ、個々の作業ステーションと、チューブ容器と、機械の各側にあるチューブコンベアと、補助装置とに接続された制御ユニットが備えられた繊維機械、特に紡績機械の少なくとも１列の作業ステーションに沿って変位可能に配置された少なくとも２つの補助装置に空チューブを供給する装置に関する。
【背景技術】
【０００３】
紡ぎ出された糸を最終ボビンの巻き取り装置に巻き取る自動紡績機械には通常、作業ステーションの列に沿って移動する幾つかの補助装置が備えられている。
【０００４】
一部の紡績機械において、各作業ステーションには、一本の空チューブが常に保管され、これが、取り出されて作業ステーションの巻き取り装置内に設置された後に交換される。これには、作業ステーションにおけるチューブの状態を監視することが必要となり、その監視は通常オペレータによって行われる。更に、チューブをコンベアから取り出して保管場所に載置するための特別で複雑な機構も必要である。
【０００５】
他の既知の装置は、典型的に、１つの予備の空チューブが補助装置に載置され、補助装置が、満巻（ｆｕｌｌｙ  ｗｏｕｎｄ）ボビンを空チューブと交換することを要求している作業ステーションに移動して、その予備の空チューブが補助装置によってその容器から取り出され、作業ステーションの巻き取り装置内に載置される。システムの効率性のためには、取り出されたチューブを出来るだけ早く補助装置に移すことが何よりも重要である。
【０００６】
不要な停止時間を回避するために機械の一方側に２つ以上の補助装置が設けられた紡績機械の場合、コンベア（通常はベルトコンベア）が、チューブを、機械の端部にある容器から特定の補助装置まで、あるいは対応する作業ステーションまで、その特定の補助装置と容器との間に位置する他の補助装置によってこのチューブが取り出されることなく送達できるように、補助装置の補助動作の順序を解決する必要がある。これは、空チューブの補助装置への搬送を１つの一方向ベルトコンベアにより実現している現在の紡績機械の欠点である。
【０００７】
例えば、特許文献１では、レールをブロックしている第１の補助装置の動作が終了するまで、且つ、この補助装置が走行レールから離れるまで、第２の補助装置による満巻ボビンを空チューブと交換する第２の要求の遂行が抑制されるようにして、この状況を解決している。図１は、作業ステーションＡ１〜Ａ１３の列を備え、チューブＤの一方向容器Ｃが機械の端部Ｂに設けられた紡績機械の一部を概略的に表す。容器Ｃの隣には、チューブのベルトコンベアＥが位置付けられ、作業ステーションＡの列に沿って延在している。３つの補助装置Ｇが、走行レールＦ上に位置付けられている。
【０００８】
作業ステーションＡ９において、満巻ボビンを空チューブＤと交換する必要がある。補助装置Ｇ２が、作業ステーションＡ９に移動し、機械の制御ユニットを介して、チューブＤを供給するように要求する。チューブＤ１が、容器ＣからコンベアＥ上に載置され、コンベアＥがそれを、その移動方向Ｓに作業ステーションＡ９まで搬送する。補助装置Ｇ２の要求の後でまだチューブＤ１をコンベアＥ上に載置している間、補助装置Ｇ１が、作業ステーションＡ４において停止し、同様にチューブＤを要求する。この状況において、制御ユニットは、作業ステーションＡ４及びＡ９と、それら作業ステーションＡ４及びＡ９に位置付けられた補助装置Ｇ１，Ｇ２，Ｇ３との相互位置を評価し、補助装置Ｇ２がチューブＤ１を受け取るまで、あるいは任意でチューブＤ１が補助装置Ｇ１の傍を通過するまで、補助装置Ｇ１の要求を抑制してコンベアＥからのチューブＤ１の取り出しを許可しない。
【０００９】
しかしながら、多くの場合、作業ステーションＡ４及びＡ９と、それら作業ステーションに位置付けられた補助装置Ｇ１及びＧ２との相互位置は、容器Ｃのより近くに位置する補助装置Ｇ１の要求の自動的に抑制をするのに必要な時間のために大きな欠点となる。従って、このシステムは、新しい空チューブの挿入を要求する補助装置及び／又は作業ステーションがある特定の好適な相互位置にある一部の場合においてのみ効率的である。
【先行技術文献】
【特許文献】
【００１０】
【特許文献１】欧州特許第１６７５７９７号明細書
【発明の概要】
【発明が解決しようとする課題】
【００１１】
従って、本発明の目的は、紡績機械の作業ステーションにおいて満巻ボビンを空チューブと交換する際の、補助装置の時間の利用を向上することである。
【課題を解決するための手段】
【００１２】
本発明の目的は、本発明に係る繊維機械の補助装置に空チューブを供給する方法により実現され、その原理は、走行しているコンベア上に少なくとも１つのチューブが存在している間、他の補助装置によるチューブの供給の要求が同時にあると、他のチューブを、走行しているコンベア上に載置し、少なくとも、補助装置が位置付けられた新しいチューブを要求している機械の作業ステーションの相互位置を評価し、制御ユニットが、機械の作業時間の最適な使用に関して、走行しているコンベア上に存在するチューブの、新しいチューブを要求している補助装置への最適な割り当てについて判定することにある。この最適化によって、作業ステーションが作業していない時間を短縮し、それにより、機械の生産性を高める。これは、複数の補助装置を有する現代の高性能紡績機械において特に極めて重要であり、補助装置の数が多ければ多いほど、本発明の解決手段はより重要となる。
【００１３】
他の向上点は、走行しているコンベア上に存在するチューブの、新しいチューブを要求している補助装置への割り当ての最適な順序について判定する前に、空チューブが必要となった実際の時点、及びコンベア上のチューブの現在の位置を評価する有利な実施例において実現される。
【００１４】
また、空チューブが必要となった実際の時点を、各補助装置の現在及び／又は将来の保守活動、並びに、その動作又はそれらの動作の予期される期間に基づいて評価すると有利である。
【００１５】
一台の機械で異なる糸の束を同時に紡ぎ出す場合、異なる色のチューブが区別のために用いられる。こうした場合、走行しているコンベア上に存在するチューブの、新しいチューブを要求している補助装置への割り当ての最適な順序について判定する前に、チューブの色を評価する。
【００１６】
空チューブを供給する装置の原理は、制御ユニットに、少なくとも、新しいチューブを要求している補助装置が位置付けられた機械の作業ステーションの位置の相互比較に基づき、コンベア上に存在するチューブの、新しいチューブを要求している個々の補助装置への割り当ての最適な順序の判定アルゴリズムが設けられていることにある。
【００１７】
好ましい実施例において、判定アルゴリズムに、空チューブが必要になった実際の時点及びコンベア上のチューブの位置を評価するためのデータセットも与えられ、これらのデータセットは、好ましくは、補助装置の補助動作の種類及びその期間に関する情報を含む。 
【００１８】
必要であれば、判定アルゴリズムに、チューブの色、及びある作業ステーションへのその割り当てを評価するためのデータセットが与えられる。
【図面の簡単な説明】
【００１９】
【図１】背景技術に係る３つの補助装置が設けられた紡績機械の１列の作業ステーションの一部の平面図を概略的に表す。
【図２】本発明に係る装置を概略的に表す平面図である。
【図３】機械の、補助装置と、空チューブを一方向コンベア上に置く装置と、制御ユニットとの相互関係のブロック図である。
【図４】作業ステーションと、コンベア上のチューブの現在の位置との相互位置のみを考慮した、要件に応じたチューブの３つの補助装置への割り当ての例を概略的に示す表を示す。
【発明を実施するための形態】
【００２０】
図２は、機械の個々の作業ステーションに移動可能な補助装置への空チューブの供給を向上する本発明に係る装置が備えられた紡績機械の一部を概略的に表す。機械の作業ステーションからの満巻ボビンの搬送は、本発明に係る装置の対象ではない。
【実施例】
【００２１】
図２及び３は、３つの補助装置２，３，４が補助する例示的な実施例における紡績機械１００の作業ステーション１１ｎｎの１つの列１を示す。
【００２２】
補助装置は、作業ステーション１１の列１に沿って、ガイドレール１０上を移動する。各補助装置２，３，４は、その位置及び移動範囲を有し、これらのパラメータは調節可能である。空チューブ５の容器１０２が、機械１００の端部１０１に配置されている。チューブ容器１０２の隣には、チューブ５の無端状の一方向コンベア６が位置付けられ、作業ステーション１１の列１に沿って配置されており、その保管面は、補助装置２，３，４の不図示の取り扱い手段が到達できる範囲内にある。先行する全ての空チューブの要求が遂行されると、コンベアは静止し、補助装置の作業領域外部において１つのチューブのみが準備される。機械の一方側の３つの補助装置の数に合わせて、最大３つのチューブ５を同時にコンベア６上で搬送できる。
【００２３】
補助装置２，３，４は、コンベア６により搬送された空チューブ５を停止させ且つそれを補助装置２，３，４上の待機位置まで移送する取り扱い手段７を備える。これら既知且つ不図示の手段は、静止している補助装置に対してコンベア６上のチューブ５を停止させる停止手段７１と、それを補助装置２，３，４上の前述の待機位置に移送し、必要であればそれを作業ステーション１１ｎｎの巻き取り装置内に挿入する把持手段７２とを含む。
【００２４】
図３によれば、紡績機械１００の補助装置２，３，４及び全ての作業ステーション１１ｎｎは、双方向ライン２１，３１，４１を介して、紡績機械１００の制御ユニット８に接続されており、その制御ユニット８には、ライン８１を介して一方向コンベア６上の空チューブ５を移送する不図示の装置９や、紡績機械１００の他の不図示の手段も接続されている。
【００２５】
図２において、第１の補助装置２は、容器１０２の近傍の、空チューブ５の容器１０２から離れる方向における作業ステーション１１０３の隣に位置している。第２の補助装置３は、図２に示すように、第１の補助装置２の下流で、作業ステーション１１１６の隣に位置している。第３の補助装置４は、第２の補助装置３の下流の、作業ステーション１１４９に位置し、作業ステーション１１ｎｎの列１の端部に対応するように動作する。
【００２６】
満巻ボビンを空チューブと交換する必要がないときには、作業ステーション１１ｎｎに位置付けられた補助装置２，３，４は、様々な他の補助動作（糸くずをブローし、検出し、吸引する等による作業ステーションの清掃）を実行する。機械の効率性に関して、アイドル時間の観点から、満巻ボビンをもつ作業ステーションを含む紡績していない各作業ステーションを、出来るだけ早く製造モードにする必要がある。空チューブの作業ステーション１１ｎｎへの最適化された搬送が、この目的を実現するために大きく貢献する。
【００２７】
空チューブ５又は５１，５２，５３を補助装置２，３，４に供給する装置の動作を、図２に示すような補助装置の配置の一例を参照して説明する。
【００２８】
例えば、作業ステーション１１１７において、満巻ボビンを空チューブ５と交換する、又は空チューブ５を単に作業ステーションの巻き取り装置内に挿入する、又は空チューブ５を補助装置の待機位置に移送する必要がある。第２の補助装置３が、この作業ステーション１１１７に移動し、空チューブ５を要求する。コンベア６が、第２の補助装置３を対象とした第１のチューブ５１と共に移動を開始する。待機している第２の補助装置３が、まずその保有しているチューブ５を作業ステーション１１１７の巻き取り装置に挿入し、更なる動作を行う。同時に、その不図示の停止手段７１が、コンベア６の領域へと延出している。
【００２９】
コンベア６による第１のチューブ５１の搬送時点において既に、他の作業ステーション、図示の例では、作業ステーション１１１７よりも空チューブ５の容器１０２の近くに位置する作業ステーション１１０３において、満巻ボビンを空チューブ５と交換する必要があることが多い。第１の補助装置２が、作業ステーション１１０３において停止し、補助装置３の先行する要求が遂行される前に、空チューブ５を要求する。容器１０２から第２のチューブ５２が、走行しているコンベア６上に載置される。制御ユニット８が、補助装置２，３に対するチューブ５１，５２の最適な割り当てを、それらの相互位置及び他の判断すべき基準に関して評価する。
【００３０】
現在の状況において、制御ユニット８は、例えば、第１のチューブ５１を第２の補助装置３のために残し、チューブ５２を第１の補助装置２に割り当てる。第２の補助装置３の停止手段７１を延出させた状態を維持し、第１の補助装置２の停止手段７１を第１のチューブ５１がその傍を通過するまで退避させ、その後延出させる。これにより、両方の補助装置２及び３、すなわち、特定の作業ステーション１１１７，１１０３に位置付けられた補助装置は、それらを対象とした空チューブが送達されるのを待つ。つまり、第２の補助装置３がチューブ５１を待ち、第１の補助装置２がチューブ５２を待つ。
【００３１】
他の場合では、作業ステーション１１０３において、満巻ボビンを空チューブと交換する必要がある。第１の補助装置２が、作業ステーション１１０３において停止し、空チューブを要求する。コンベアが、第１の補助装置２を対象とした第１のチューブ５１と共に移動を開始する。第１の補助装置２が、チューブ５１を待っており、その不図示の停止手段が、コンベア６の領域へと延出している。同時に、その保有しているチューブ５を作業ステーション１１０３の巻き取り装置内に挿入し、更なる動作を行う。
【００３２】
続いて、作業ステーション１１１７においても、満巻ボビンを空チューブ５と交換することが必要となる。第２の補助装置３が、この作業ステーション１１１７において停止し、先行する要求が遂行される前に、空チューブ５を要求する。第２のチューブ５２が、走行しているコンベア６上に載置される。制御ユニット８が、補助装置２，３に対するチューブの最適な割り当てを評価することで、これらの要求を遂行する２つの選択肢が生じうる。
【００３３】
第１の選択肢において、第１のチューブ５１の対象が第２の補助装置３となり、第２のチューブ５２の対象が第１の補助装置２となる。これにより、元々は第１のチューブ５１は第１の補助装置２を対象としていたために、目標補助装置の交換が生じるが、第２の補助装置３からの要求を受領後且つ判定アルゴリズムによる判定後、第１のチューブ５１の対象が第２の補助装置３となり、第２のチューブ５２の対象が第１の補助装置２となる。第１の補助装置２の停止手段７１を退避させる必要があり、第２の補助装置３を対象とする第１のチューブ５１が通過した後、それを延出させる必要がある。補助装置２及び３は、それらを対象とした空チューブ５１，５２が送達されるのを待つ。
【００３４】
第２の選択肢において、第１のチューブ５１の対象は変わらず第１の補助装置２であり、第２のチューブ５２の対象が第２の補助装置３となる。第１の補助装置２の停止手段７１が、コンベア６上の第１のチューブ５１を停止させ、把持手段７２によりそれが取り出された後、補助装置２の停止手段７１を退避させ、また、第２の補助装置３の停止手段７１を直ぐに延出させてもよい。補助装置２及び３は、それらを対象とした空チューブ５１，５２が送達されるのを待つ。
【００３５】
以下の例では、２つの先行する要求が遂行される前に空チューブの第３の要求がなされる状況における、３つの補助装置２，３，４の組み合わせについて説明する。
【００３６】
作業ステーション１１４９において、満巻ボビンを空チューブと交換する必要がある。第３の補助装置４が、作業ステーション１１４９において停止し、空チューブを要求する。コンベアが、第３の補助装置４を対象とした第１のチューブ５１と共に移動を開始する。第３の補助装置４が、チューブ５１を待っており、その不図示の停止手段７１が、コンベア６の領域へと延出している。同時に、その保有しているチューブ５を作業ステーション１１４９の巻き取り装置内に挿入し、更なる動作を行う。
【００３７】
その後、作業ステーション１１０３においても、満巻ボビンを空チューブ５と交換することが必要となる。第１の補助装置２が、この作業ステーション１１０３において停止し、先行する要求が遂行される前に、空チューブ５を要求する。第２のチューブ５２が、走行しているコンベア６上に載置される。制御ユニット８が、補助装置２，４に対するチューブの最適な割り当てを評価する。補助されている作業ステーションの現在の位置及びチューブコンベア上のチューブの現在の位置を評価した後、チューブ５１の対象が第３の補助装置４となり、チューブ５２の対象が第１の補助装置２となる。第１の補助装置２が、チューブ５２を待っており、第３の補助装置４を対象とした第１のチューブ５１が通過した後で、停止手段をコンベア６の領域へと延出させる。同時に、その保有しているチューブ５を作業ステーション１１０３の巻き取り装置内に挿入し、他の動作を行う。
【００３８】
また、作業ステーション１１１７においても、満巻ボビンを空チューブ５と交換することが必要となる。第２の補助装置３が、この作業ステーション１１１７において停止し、先行する要求が遂行される前に、空チューブ５を要求する。第３のチューブ５３が、走行しているコンベア６上に供給される。制御ユニット８が、補助装置２，３，４に対するチューブの最適な割り当てを評価する。補助されている作業ステーションの現在の位置及びチューブコンベア上のチューブの現在の位置のみの評価を使用する場合には、これらの要件を満たす２つの選択肢が存在する。
【００３９】
第１の選択肢において、第１のチューブ５１の対象は変わらず第３の補助装置４であり、第２のチューブ５２の対象がこの場合第２の補助装置３となり、第３のチューブ５３の対象が第１の補助装置２となる。第３の補助装置４の停止手段７１を延出させた状態を維持し、第２の補助装置３の停止手段７１を第１のチューブ５１がその傍を通過するまで延出させず、最後に第１の補助装置２の停止手段７１を第１のチューブ５１及び第２のチューブ５２が通過するまで延出させない。補助装置２，３及び４は、それらを対象とした空チューブ５１，５２及び５３が送達されるのを待つ。
【００４０】
第２の選択肢において、第１のチューブ５１の対象は第３の補助装置４となり、第２のチューブ５２の対象は第１の補助装置２となり、第３のチューブ５３の対象は第２の補助装置３となる。第３の補助装置４の停止手段７１を延出させた状態を維持し、第１の補助装置２の停止手段７１を第１のチューブ５１がその傍を通過した後で延出させ、第２の補助装置３の停止手段７１を第１のチューブ５１が通過した後で延出させる。まず第２のチューブ５２が第１の補助装置２によって取り出され、その後になって補助装置３のための第３のチューブ５３が第１の補助装置２を通過する。補助装置２，３及び４は、それらを対象とした空チューブ５１，５２及び５３が送達されるのを待つ。
【００４１】
コンベア６上に存在するチューブ５の、新しいチューブ５を要求している個々の補助装置２，３，４への割り当ての最適な順序のためのアルゴリズムが、紡績機械１００の時間の最適な使用に寄与し、このようにして補助装置２，３，４に空チューブ５を供給する順序について判定する。そうする際、これは、最初に、補助装置２，３及び４の位置の現在の相互比較、現在の補助動作及びこの動作の予期される期間、それに続く予期される補助動作、空チューブを要求した実際の時点、コンベア６上のチューブ５の現在の位置等の基準を使用する。あるいは、場合により、例えば、ある作業ステーションへの割り当て点からのチューブ５の異なる色等の他の基準でもよい。
【００４２】
本発明に係る装置の動作を、図４の表に概略的に表す。ここでは、補助されている作業ステーションの相互位置、及びコンベア６上のチューブ５の現在の位置のみが評価される。表の最初の３つの欄には、補助装置２，３，４があり、空チューブ５の容器１０２から離れる方向において、その参照符号に従って、昇順で配置されている。これらの３つの欄のそれぞれには、補助装置２，３，４が、空チューブ５の要求がなされた順序に応じて配置されている。他のツリー欄には、紡績機械１００の制御ユニット８により評価された基準に応じたチューブ５１，５２，５３の各補助装置２，３，４への割り当ての様々な例が示されている。
【００４３】
例えば、チューブ５を取り出すことがもはや不可能となるエラー等、エラーがそれぞれの補助装置２，３，４に生じた場合、これは、他の補助装置による他のチューブ５の取り出しに干渉しない。一実施例によれば、チューブを取り出すのに不具合のあった補助装置２，３，４を対象とするチューブ５について、そのチューブを、回収容器（不図示）が位置付けられた繊維機械の端部まで搬送し、そこでその取り出せなかったチューブを回収容器内に載置される。他の有利な実施例によれば、チューブ５を取り出すのに失敗した不具合のある補助装置２，３，４を対象とするチューブ５を、例えばコンベア６を逆移動させることにより、コンベア６上の初期位置まで搬送し、そこで、他の補助装置２，３，４により要求されるまで待機させる。この場合、すでにコンベア６の開始点にあるそのようなチューブ５の要求後、新しいチューブ５は、コンベア６上に載置されず、装置の動作が開始される。すなわち、本発明に係るチューブの搬送が開始する。
【００４４】
本発明は、３つの補助装置に限定されない。３つの補助装置の使用は、本明細書において本発明の原理を説明するために使用された実施例の基本例として使われるのみであり、機械に使用される補助装置の実際の数は、機械の特定の要件及びその動作の自動化に応じて決まる。
【符号の説明】
【００４５】
１  作業ステーションの列
１０  （補助装置の）ガイドレール
１００  紡績機械
１０１  紡績機械の端部
１０２  空チューブの容器
１１  作業ステーション（１１０１，１１０２，…，１１５１）
２  第１の補助装置
２１  （制御ユニットと補助装置との間の）双方向ライン
３  第２の補助装置
３１  （制御ユニットと補助装置との間の）双方向ライン
４  第３の補助装置
４１  （制御ユニットと補助装置との間の）双方向ライン
５  チューブ
５１  第１（送られているチューブ）
５２  第２（送られているチューブ）
５３  第３（送られているチューブ）
６  （空チューブの）コンベア
７  コンベア６により搬送されている空チューブを停止させる手段及びそれを搬送する手段
７１  停止手段
７２  把持手段
８  紡績機械の制御ユニット
８１  （制御ユニットとチューブの搬送装置との間の）双方向ライン
９  （容器からコンベアへの）空チューブの搬送装置
Ａ１〜Ａ１３  紡績機械の作業ステーション
Ｂ  機械の端部
Ｃ  チューブ容器
Ｄ，Ｄ１  チューブ
Ｅ  チューブコンベア
Ｆ  （補助装置の）走行レール
Ｇ１〜Ｇ３  補助装置
Ｓ  チューブコンベアの移動方向
【図１】
2018020908.tif 000003
【図２】
2018020908.tif 000004
【図３】
2018020908.tif 000005
【図４】
2018020908.tif 000006
【外国語明細書】
2018020908000001.pdf